(57)【要約】【課題】小型化した映像表示装置で、映像が見易くされた表示画面を良好にモニターしながら操作ボタンの操作が行えるようにして操作性を向上する。【解決手段】ビデオカメラ本体８の側面部に、映像表示装置２０の基端部をヒンジ機構で軸着し、映像表示装置２０がビデオカメラ本体８の側面部に沿う収納状態と、映像表示装置２０の自由端部がビデオカメラ本体８から離れるように開いた基本開状態との間で、映像表示装置２０を開閉可能に構成する。映像表示装置２０における表示面外枠部２１ａの開口の内部に、映像表示面２１を傾斜した状態で配置する。映像表示面２１の奥に引き込んだ端辺部に隣接する表示面外枠部２１ａの一端辺部に、操作ボタン２２を配置して構成する。【選択図】図２
2010028660.tif 000002
【特許請求の範囲】
【請求項１】
装置本体の側面部に、映像表示装置の基端部をヒンジ機構で軸着し、前記映像表示装置が前記装置本体の側面部に沿う収納状態と、前記映像表示装置の自由端部が前記装置本体から離れるように開いた基本開状態との間で、前記映像表示装置を開閉可能に構成した撮像装置において、
前記映像表示装置における表示面外枠部の開口の内部に、傾斜した状態で配置した映像表示面と、
前記映像表示面の奥に引き込んだ端辺部に隣接する前記表示面外枠部の一端辺部に、配置された操作部材と、
を有することを特徴とする撮像装置。
【請求項２】
前記映像表示装置が基本開状態に開かれた状態で、前記映像表示面が下側を向くように傾斜して配置されることを特徴とする請求項１記載の撮像装置。
【請求項３】
前記ヒンジ機構に設けた表示面角度調整用回転軸の回りに前記映像表示装置を半回転させることにより、前記映像表示面が前記装置本体の外に向けて開かれ、前記映像表示装置が前記装置本体の側面に沿うようになる反転収納の使用状態において、
前記映像表示装置の前記映像表示面が上側を向くように傾斜して配置されることを特徴とする請求項１記載の撮像装置。
【請求項４】
前記映像表示装置に取り付けられた前記ヒンジ機構と前記表示面外枠部との間に前記映像表示面の一端部を配置し、
前記映像表示装置の自由端部側の前記表示面外枠部の端辺部に配置された操作部材の奥側に、前記映像表示装置の他端部を配置することにより、
前記映像表示面を、前記表示面外枠部の前記開口の内部に傾斜した状態で配置して前記映像表示装置を構成することを特徴とする請求項１記載の撮像装置。
【発明の詳細な説明】
【技術分野】
【０００１】
本発明は、ビデオカメラ装置あるいはデジタルスチルカメラ装置等の撮像装置に関し、特に、開閉可能な映像表示装置を備えた撮像装置に関する。
【背景技術】
【０００２】
近年、ビデオカメラに対しては、小型化の要望が強く、ビデオカメラ本体の大きさ（各面の投影面積）は減少する傾向にある。このため、小型化したビデオカメラでは、操作用のボタンを配置可能な場所が制約されてきている。しかしその反面、ビデオカメラでは、多機能化やデザインの差別化により操作ボタンの数が増加する傾向にある。また、操作性の面から考えると、多数の操作ボタンがただ整然と並んでいたのでは、ビデオカメラの操作性が著しく劣ってしまう。また小型化したビデオカメラにおいても、撮影時や再生時にモニターを見易くするためにバックライト付きの液晶パネル等の大型表示装置を備えることが多い。
【０００３】
また、小型化を図ったビデオカメラには、ビデオカメラ本体に対して表示装置を回転可能に装着して構成されたものがある。そして、この小型化を図ったビデオカメラでは、表示装置の収納時に本体の側面に収納する。これと共に、このビデオカメラでは、使用する際に、表示装置の基端のヒンジ部を軸として、表示装置の自由端部を本体から離れるように回転させて開くことにより、表示画面をモニターできる状態とされる。
【０００４】
このような小型化を図ったビデオカメラでは、撮影時に撮像装置の電源スイッチを入れて、表示装置の自由端部を本体から離れるように回転させて開いた状態で表示画面をモニターしながら撮影する。そして、この小型化を図ったビデオカメラでは、撮影が終了したら表示装置を閉じる収納状態まで回転して戻し、電源スイッチを切るように操作する。
【０００５】
また、ビデオカメラには、操作性を向上するために、表示画面を良好にモニターしながら、ビデオカメラの操作ボタンを操作できるようにするという要望がある。
【０００６】
このため、従来のビデオカメラには、ビデオ一体形カメラの本体の天面部に、操作スイッチを配置した操作部を設ける。さらに、カメラの本体の天面部には、操作部に隣接して、ヒンジ部によって回動自在に取り付けられたディスプレイ部を直視する方式の電子ビューファインダーを装着し、映像表示面を見ながら操作ボタンを操作可能とする。これと共に、電子ビューファインダーの筐体と一体にフード部を形成して太陽光が反射して映像が見難くなることを抑制したものが提案されている。（例えば、特許文献１参照）
【特許文献１】特開平６−３０３４６８
【発明の開示】
【発明が解決しようとする課題】
【０００７】
しかしながら、上述した従来のビデオ一体形カメラでは、カメラの本体の天面部に操作スイッチを設けた操作部を配置する。これと共に、ビデオ一体形カメラでは、ヒンジ部によって回動自在にディスプレイ部を取り付け、ディスプレイ部の筐体と一体にフード部を形成する構成なので、全体が大型化する。また、この従来のビデオ一体形カメラの構成を、ビデオカメラ本体に対して表示装置を回転可能に装着して小型化を図ったビデオカメラにそのまま適用することは、困難である。
【０００８】
したがって映像表示装置を大型化することなく、操作ボタンの操作性が良く、表示画面を良好にモニターできる撮像装置を提供することが困難であった。
【０００９】
本発明の目的は、映像表示装置を小型化し、映像が見易くされた表示画面を良好にモニターしながら操作ボタンの操作が行えるようにして操作性を向上した撮像装置を提供することにある。
【課題を解決するための手段】
【００１０】
上記目的を達成するために、請求項１記載の撮像装置は、装置本体の側面部に、映像表示装置の基端部をヒンジ機構で軸着し、前記映像表示装置が前記装置本体の側面部に沿う収納状態と、前記映像表示装置の自由端部が前記装置本体から離れるように開いた基本開状態との間で、前記映像表示装置を開閉可能に構成した撮像装置において、前記映像表示装置における表示面外枠部の開口の内部に、傾斜した状態で配置した映像表示面と、前記映像表示面の奥に引き込んだ端辺部に隣接する前記表示面外枠部の一端辺部に、配置された操作部材と、を有することを特徴とする。
【発明の効果】
【００１１】
本発明によれば、小型化された映像表示装置において、映像が見易くされた表示画面を良好にモニターしながら操作ボタンの操作が行えるようにして、小型の撮像装置の操作性を向上できるという効果がある。
【発明を実施するための最良の形態】
【００１２】
以下、本発明の撮像装置における第１の実施の形態について、図１乃至図５及び、図８及び図９を参照しながら説明する。
【００１３】
図１は、本発明の撮像装置の第１の実施の形態に係わる、映像表示装置を開閉可能に装着したビデオカメラ装置で、表示装置の収納状態を斜後方から見たところを示す斜視図である。
【００１４】
図２は、本発明の撮像装置の第１の実施の形態に係わる、映像表示装置を開閉可能に装着したビデオカメラ装置で、撮影状態の一態様を示す斜視図である。
【００１５】
図１及び図２で、１は、撮像レンズ、２は、記録媒体が装着される装着部である。この装着部２は、撮像レンズ１の横にレイアウトされ撮影時のグリップとなる。３は、本体に電源を供給するためのバッテリーパックでビデオカメラ本体８の背面部に着脱可能に配置されている。４は、ズームレバー、５は、トリガーボタンである。
【００１６】
また、このビデオカメラ本体８では、撮影レンズ１の側方である装置本体の側面部に映像表示装置２０が配置されている。この映像表示装置２０は、その側辺部２０ａとビデオカメラ本体８との間に装着された図示しない２軸のヒンジ機構によって、水平方向（図中の矢印Ａ方向）及び垂直方向（図中の矢印Ｂ方向）に回転可能に連結されている。この２軸のヒンジ機構は、映像表示装置２０の開閉用回転軸と、映像表示面部２１に対する仰角又は俯角を調整する表示面角度調整用回転軸と、を備える。
【００１７】
映像表示装置２０は、２軸のヒンジ機構の開閉用回転軸を軸として本体から離れるように回転させて映像表示面部２１を撮影者に向ける状態にセットすることにより、撮影者が映像表示面部２１の映像をモニターできるようになる。
【００１８】
すなわち、映像表示装置２０は、２軸のヒンジ機構における水平方向（図中の矢印Ａ方向）回転用の回転軸を軸として、映像表示装置２０の自由端部をビデオカメラ本体８から離れるように略直角の基本開状態まで回転させて開く。このように基本開状態に開かれた映像表示装置２０は、映像表示面部２１を撮影者に向ける状態にセットされる。このように映像表示装置２０を開いた状態で、撮影者は、映像表示面部２１の映像をモニターする。
【００１９】
また映像表示装置２０には、映像表示面部２１の下方に操作部材である操作ボタン２２を配置する。このように構成することによって、撮影者は、映像をモニターしながら、操作ボタン２２を押し圧操作して操作ボタン２２に割り当てられた機能を実行させることができる。例えば、ビデオカメラの撮影時においては、操作ボタン２２を押圧操作してズーム操作、記録のスタート／ストップを実行させる。また、ビデオカメラの再生時には、操作ボタン２２を押圧操作して再生のスタート／ストップなどを実行させる。
【００２０】
次に、ビデオカメラ本体８に装着される映像表示装置２０の構成について、図４及び図５を参照して説明する。
【００２１】
図４は、映像表示装置２０の映像表示面部２１がビデオカメラ本体８に対向するように収納した収納状態を示す縦断面図である。
【００２２】
図５は、映像表示装置２０の映像表示面部２１がビデオカメラ本体８の外に向けて開かれ、映像表示装置２０がビデオカメラ本体８の側面に沿うようになる反転収納の使用状態を示す縦断面図である。
【００２３】
この映像表示装置２０は、ビデオカメラ本体８に対して、図４に示す収納状態又は図５に示す反転収納の使用状態にあるときに、液晶パネル２３が、ビデオカメラ本体８に対して上に向くよう傾いた状態となるように構成する。
【００２４】
すなわち、この映像表示装置２０は、その映像表示面部２１を、表示面外枠部（外周部）２１ａの中央に形成された矩形の開口の内部に、映像表示面を構成する液晶パネル２３を傾斜（逆勾配の傾斜）した状態で配置する。このように構成した映像表示装置２０では、映像表示面（表示パネル部材）を構成する液晶パネル２３の一方の端辺部（図２で上側の端辺部）が、表示面外枠部２１ａの表面寄りに位置することになる。またこの映像表示装置２０では、映像表示面を構成する液晶パネル２３の一方の端辺部に対向する他方の端辺部（図２で下側の端辺部）が、表示面外枠部２１ａから内側に入った位置に配置されることになる。
【００２５】
また、この映像表示装置２０には、液晶パネル２３の背面に、バックライトユニット２４を傾斜して配置した液晶パネル２３と略平行に配置する。さらにバックライトユニット２４の背面には、電子部品が実装されたプリント基板２５を、傾斜したバックライトユニット２４と略平行に配置する。
【００２６】
また、プリント基板２５に実装されたコネクタ２６には、液晶パネル２３のフレキシブケーブル２７が接続されている。さらにプリント基板２５は、図示しない電気信号配線によってビデオカメラ本体の信号処理回路と接続されている。
【００２７】
この映像表示装置２０では、パネル上カバー２９とパネル下カバー２８との間に、液晶パネル２３、バックライトユニット２４、プリント基板２５を挟み込んで保持する構成になっている。これと共に、この映像表示装置２０では、液晶パネル２３の表示面側がパネル下カバー２８側に配置されて、パネル下カバー２８に設けられた矩形開口２８ａを通して液晶パネル２３の画像をモニターするように構成されている。
【００２８】
またこの映像表示装置２０には、映像表示面部２１の下方部位に当たる、傾けて設けられた液晶パネル２３とパネル下カバー２８との隙間に、液晶パネル２３と重なる状態で操作部材である操作ボタン２２を配置する。
【００２９】
さらに、この操作ボタン２２の背面には、操作部材用のサラバネ３２と、プリント基板２５に実装されたコネクタ３１に接続された電極シート３０とを配置する。
【００３０】
すなわち、この映像表示装置２０では、映像表示面を構成する液晶パネル２３の奥に引き込んだ端辺部に隣接する表示面外枠部２１ａの一端辺部に、操作ボタン２２、サラバネ３２等を配置する。
【００３１】
このように構成された映像表示装置２０では、操作ボタン２２を押し圧操作するとサラバネ３２が反転変形し電極シート３０の電極と触れる。そして、電気信号が図示しない電気信号配線によってビデオカメラ本体の信号処理回路に伝達される。よって、この映像表示装置２０では、操作ボタン２２の押し圧操作により、操作ボタン２２に割り当てられた機能が実行されるように作用する。
【００３２】
また図２に示すように、このビデオカメラ本体８では、映像表示装置２０の自由端部が本体から離れるように回転させることにより映像表示面部２１を撮影者に向ける撮影状態の態様にセットできる。このビデオカメラ本体８の撮影状態の態様では、撮影者が、映像表示面部２１の映像をモニターしながらビデオカメラ本体８を操作して撮影を実行できる。
【００３３】
このとき、映像表示装置２０は、２軸のヒンジ機構の開閉用回転軸を軸として図２の矢印Ａ方向へ回転して撮影状態へ開いた基本位置にある場合には、映像表示装置２０に設けられた映像表示面部２１が下方に傾く状態となる。この状態では、図８に示すように、撮影者の後方上部に太陽等の光源がある場合でも映像表示面部２１に当たる光線が下方に反射して撮影者の目に入らないようにできるので、映像表示面部２１の映像が見難くなることを防止できる。
【００３４】
さらに、映像表示装置２０が撮影状態へ開いた基本位置にある場合には、撮影者が、映像表示面部２１の映像を見ながら、映像表示装置２０の映像表示面部２１の下方に設けられた操作ボタン２２を操作することが可能となる。
【００３５】
また、このビデオカメラ本体８では、再生動作をさせる際に、図２に示す状態から映像表示装置２０を２軸のヒンジ機構の表示面角度調整用回転軸を軸として図２の矢印Ｂ方向へ半回転して、図３に示す反転収納状態にセットできる。
【００３６】
このように映像表示装置２０が半回転して反転収納状態にセットされた場合には、映像表示面部２１がビデオカメラ本体８から露出して、使用者が映像を見られる状態となる。この反転収納状態では、図５に示すように、映像表示装置２０の液晶パネル２３がビデオカメラ本体８に対して上方を向く状態になる。
【００３７】
また、図９に示すように、再生モードで映像をモニターする使用者は、映像表示装置２０を上方より覗くことになる。このとき、映像表示装置２０の映像表示面部２１がビデオカメラ本体８に対して上方に傾いている状態にあるので、使用者は、映像表示面部２１の映像が見易くなる。
【００３８】
上述のように構成することにより、映像表示装置２０の厚み（図中で示すＤ）は、次の各部材の厚みによって決定されることになる。映像表示装置２０の内部の厚みは、液晶パネル２３の厚みＤ４、バックライトユニット２４の厚みＤ３、電子部品の実装されたプリント基板２５の厚みＤ２のそれぞれの厚みの合計で決まる。よって、映像表示装置２０全体の厚みは、内部の厚みに加えて、パネル上カバー２９の厚みＤ６とパネル下カバー２８の厚みＤ５とを加算したものとなる。
【００３９】
ここで、映像表示装置に液晶パネルを傾斜させずに配置して構成した場合と比較する。液晶パネル２３の厚みＤ４、バックライトユニット２４の厚みＤ３、電子部品の実装されたプリント基板２５の厚みＤ２の合計は、同等となる。またパネル上カバー２９の厚みＤ６は同等となる。
【００４０】
しかし、パネル下カバー２８の厚みＤ５は、操作ボタン２２を配置していない端部において、操作ボタン２２及びサラバネ３２の分だけ薄くできる。よって、映像表示装置２０は、その操作ボタン２２を配置していない端辺部分の厚みＤを薄くできる。この映像表示装置２０の操作ボタン２２を配置していない端辺部分の厚みＤは、操作ボタンを備えない映像表示装置と同等の厚みとすることができる。
【００４１】
この映像表示装置２０では、液晶パネル２３を操作ボタン２２の上端部８１を回転中心として傾けるように構成する。このように構成する映像表示装置２０では、Ｌ２の長さに比べＬ１の長さが十分にあり、液晶パネル２３を傾ける角度が鋭角となる。このため、映像表示装置２０では、液晶パネル２３を傾けたことによる厚み方向に出っ張る部分８０の出っ張り量がパネル下カバー２８の厚みＤ５と操作ボタン２２の厚みの差と比較して微小となる。
【００４２】
また、この映像表示装置２０では、液晶パネル２３の長さと比較してプリント基板２５の長さが短いために若干の隙間８２が存在する。よって、この映像表示装置２０では、隙間８２によって液晶パネル２３を傾けたことによる厚み方向の微小な出っ張りを吸収することにより、映像表示装置２０の厚み（図中で示すＧ）を従来機種と変わらないように構成できる。
【００４３】
すなわち、映像表示装置に液晶パネルを傾斜させずに配置して構成した場合には、図４及び図５に想像線で示すように、断面矩形の大型形状となる。
【００４４】
しかし映像表示装置２０は、液晶パネルを傾斜させて配置したので、実線で示すように、操作ボタン２２を配置した側部からその反対側の端部にかけて徐々に厚みを薄く構成できる。
【００４５】
次に、本発明による撮像装置の第２の実施の形態に係わる映像表示装置を備えたビデオカメラ装置について、図６及び図７を参照しながら説明する。
【００４６】
図６は、本発明の撮像装置の第２実施の形態に係わる、映像表示装置を開閉可能に装着したビデオカメラ装置で、表示装置の撮影状態を斜後方から見たところを示す斜視図である。
【００４７】
図７は、本発明の撮像装置の第２実施の形態に係わる、映像表示装置２０の映像表示面部２１がビデオカメラ本体８に対向するように収納した収納状態を示す縦断面図である。
【００４８】
図６に示すように、このビデオカメラ本体８では、映像表示装置５０の基端部５０ａが、ビデオカメラ本体８に対して２軸のヒンジ機構５３によって水平方向及び垂直方向に回転可能に軸着されている。
【００４９】
また、この映像表示装置５０では、基端部５０ａと反対側の自由端部における映像表示面５１の外側に当たる表示面外枠部の縦端辺部に、操作ボタン５２を配置する。このように構成することにより、この映像表示装置５０では、撮影者が映像をモニターしながら、操作ボタン５２を操作可能となる。
【００５０】
この映像表示装置５０では、ビデオカメラ本体８に対して、液晶パネル５４が映像表示装置５０の２軸のヒンジ機構５３側の一端部から自由端部側の他端部にかけて傾斜するように配置されている。すなわち、この映像表示装置５０では、その２軸のヒンジ機構５３に軸支された基端部側で、液晶パネル５４の一端部が、ヒンジ機構５３と表示面外枠部５１ａとの間に配置されて、映像表示装置５０の表示側の平面近くに位置する。また、この映像表示装置５０では、液晶パネル５４の他端部が、映像表示装置５０の自由端部側で、表示面外枠部５１ａに配置した操作ボタン５２の下側に当たる、表示側の平面から奥側に入った所に位置するように構成する。
【００５１】
この映像表示装置５０では、傾斜して配置した液晶パネル５４の背面に、バックライトユニット５５を、この傾いた液晶パネル５４と略平行に配置する。さらにバックライトユニット５５の背面には、電子部品が実装されたプリント基板５６をバックライトユニット５５と略平行に配置する。
【００５２】
そしてこの映像表示装置５０の自由端部の側辺部には、傾斜して設けられた液晶パネル５４とパネル下カバー５７との隙間に、液晶パネル５４と重なるように操作ボタン５２を配置する。
【００５３】
また、映像表示装置５０の基端部には、傾斜して配置した液晶パネル５４とパネル上カバー５８との隙間に、液晶パネル５４と重なるようにヒンジ機構５３を配置する。すなわち、この映像表示装置５０では、傾いた液晶パネル５４の表示面側に操作ボタン５２を配置し、表示面の裏側にヒンジ機構５３を配置して構成する。
【００５４】
ここで、液晶パネルを傾けていない映像表示装置を、本第２の実施の形態に対する比較例として、図１０の断面図を参照して説明する。
【００５５】
この図１０に示す映像表示装置では、映像表示装置の長さＥが、操作ボタン５２を構成する為に必要な長さＥ１、液晶パネル５４の長さＥ２及びヒンジ機構５３を構成する為に必要な長さＥ３の合計で決まる。
【００５６】
これに対し、本第２の実施の形態に係わる図７に示す映像表示装置の長さＦを求める場合には、操作ボタン５２を構成する為に必要な長さＦ１、液晶パネル５４の長さＦ２及びヒンジ機構５３の配置に必要な長さＥ３を合計する。そして、この合計された長さから液晶パネル５４とヒンジ機構５３とが重なっている長さＦ４を引いて、映像表示装置の長さＦを求める。
【００５７】
ここで、操作ボタン５２を構成する為に必要な長さＦ１、液晶パネル５４の長さＦ２及びヒンジ機構５３を構成する為に必要な長さＥ３は比較例と同等である。よって、本第２の実施の形態に係わる図７に示す映像表示装置５０の長さＦは、液晶パネル５４とヒンジ機構５３が重なっている長さＦ４だけ短くできる。すなわち、本第２の実施の形態に係わる図７に示す映像表示装置５０は、比較例と同等の厚みのままで、長手方向の長さ（基端部から自由端部へかけての長さ）を短くできるので、映像表示装置５０を小型化することができる。
【図面の簡単な説明】
【００５８】
【図１】本発明の撮像装置の第１の実施の形態に係わる、映像表示装置を開閉可能に装着したビデオカメラ装置で、表示装置の収納状態を斜後方から見たところを示す斜視図である。
【図２】本発明の撮像装置の第１の実施の形態に係わる、映像表示装置を開閉可能に装着したビデオカメラ装置で、撮影状態の一態様を示す斜視図である。
【図３】本発明の撮像装置の第１の実施の形態に係わる、映像表示装置を開閉可能に装着したビデオカメラ装置における反転収納状態を示す斜視図である。
【図４】映像表示装置の映像表示面がビデオカメラ本体に対向するように収納した収納状態を示す縦断面図である。
【図５】映像表示装置の映像表示面部がビデオカメラ本体の外に向けて開かれ、映像表示装置がビデオカメラ本体の側面に沿うようになる反転収納の使用状態を示す縦断面図である。
【図６】本発明の撮像装置の第２実施の形態に係わる、映像表示装置を開閉可能に装着したビデオカメラ装置で、表示装置の撮影状態を斜後方から見たところを示す斜視図である。
【図７】本発明の撮像装置の第２実施の形態に係わる、映像表示装置の映像表示面がビデオカメラ本体に対向するように収納した収納状態を示す縦断面図である。
【図８】本発明の撮像装置の第１実施の形態に係わるビデオカメラ装置で表示装置を撮影状態にセットした場合を示す側面図である。
【図９】本発明の撮像装置の第１実施の形態に係わるビデオカメラ装置で表示装置を反転収納状態にセットした場合を示す背面図である。
【図１０】本発明の撮像装置の第２実施の形態に係わる映像表示装置の比較例であって、液晶パネルを傾けていない映像表示装置を例示する要部の断面図である。
【符号の説明】
【００５９】
１  撮像レンズ
２  装着部
８  ビデオカメラ本体
２０  映像表示装置
２１  映像表示面
２２  操作ボタン
２３  液晶パネル
２４  バックライトユニット
２５  プリント基板
２６  コネクタ
２７  フレキシブケーブル
２８  パネル下カバー
２９  パネル上カバー
５０  映像表示装置
５０ａ  基端部
５１  映像表示面
５２  操作ボタン
【図１】
2010028660.tif 000003
【図２】
2010028660.tif 000004
【図３】
2010028660.tif 000005
【図４】
2010028660.tif 000006
【図５】
2010028660.tif 000007
【図６】
2010028660.tif 000008
【図７】
2010028660.tif 000009
【図８】
2010028660.tif 000010
【図９】
2010028660.tif 000011
【図１０】
2010028660.tif 000012